(57)【要約】【課題】低負荷領域の過渡シーンにおいて、運転者によるアクセル操作をスムーズとし、運転性と燃費の向上を達成すること。【解決手段】走行用駆動源として、ターボチャージャー型の過給機２を備えたエンジン１と、モータジェネレータ４と、を有し、要求駆動トルクをエンジントルクとモータトルクの総和により実現する駆動トルク制御を行う。このハイブリッド車両において、エンジン１のエンジントルクを推定するエンジントルク推定手段（ステップS104）を備え、駆動トルク制御手段（図３）は、要求駆動トルクと自然吸気時のエンジントルクとの差分をモータトルクで補償可能な低負荷領域のとき（ステップS101でYES）、過給機２による過給を停止状態とし（ステップS102、ステップS103）、要求駆動トルクと推定したエンジントルクとの差分をモータトルクで補償する（ステップS106）。【選択図】図３
2011051383.tif 000002
【特許請求の範囲】
【請求項１】
走行用駆動源として、ターボチャージャー型の過給機を備えたエンジンと、モータと、を有し、
要求駆動トルクをエンジントルクとモータトルクの総和により実現する駆動トルク制御を行う駆動トルク制御手段を備えたハイブリッド車両の制御装置において、
前記エンジンのエンジントルクを推定するエンジントルク推定手段を備え、
前記駆動トルク制御手段は、要求駆動トルクと自然吸気時のエンジントルクとの差分をモータトルクで補償可能な低負荷領域のとき、前記過給機による過給を停止状態とし、要求駆動トルクと推定したエンジントルクとの差分をモータトルクで補償することを特徴とするハイブリッド車両の制御装置。
【請求項２】
請求項１に記載されたハイブリッド車両の制御装置において、
前記駆動トルク制御手段は、過給停止状態で設定時間を超過したとき、または、要求駆動トルクと自然吸気時のエンジントルクとの差分をモータトルクで補償できなくなったとき、前記過給機による過給を開始することを特徴とするハイブリッド車両の制御装置。
【請求項３】
請求項２に記載されたハイブリッド車両の制御装置において、
前記駆動トルク制御手段は、前記過給機による過給を開始した後、エンジン回転数とエンジントルクマップに基づいて過給時のエンジントルクを推定し、要求駆動トルクと過給時の推定エンジントルクとの差分によるモータトルクを、目標車速と実車速の車速差に基づいて得られる過不足トルクによりフィードバック補正するモータ出力制御を行うことを特徴とするハイブリッド車両の制御装置。
【請求項４】
請求項１から請求項３までの何れか１項に記載されたハイブリッド車両の制御装置において、
前記駆動トルク制御手段は、前記過給機による過給状態で前記エンジンへの燃料増量が必要となる過負荷領域のとき、燃料増量によるエンジントルク上昇分をモータトルクの上昇により補償するモータ出力制御と、燃料増量域に入らないようにエンジントルクを維持するエンジン出力制御と、による協調制御を行うことを特徴とするハイブリッド車両の制御装置。
【請求項５】
請求項１から請求項３までの何れか１項に記載されたハイブリッド車両の制御装置において、
前記駆動トルク制御手段は、前記過給機による過給状態で前記エンジンへの燃料増量が必要となる過負荷領域のとき、前記過給機を停止状態にする過給機制御と、過給状態から停止状態への移行に伴うエンジントルク低下分をモータトルクの上昇により補償するモータ出力制御と、による協調制御を行うことを特徴とするハイブリッド車両の制御装置。
【発明の詳細な説明】
【技術分野】
【０００１】
本発明は、走行用駆動源として、ターボチャージャー型の過給機を備えたエンジンと、モータと、を有するハイブリッド車両の制御装置に関する。
【背景技術】
【０００２】
従来、ターボチャージャー型の過給機を備えたエンジンと、モータとを備えたハイブリッド車両の制御装置において、アクセル操作に応じて過給機の目標過給圧を算出し、目標過給圧と実過給圧との差に基づいてモータのトルクを制御することでエンジントルクのレスポンス遅れを補償するものが知られている（例えば、特許文献１参照）。
【先行技術文献】
【特許文献】
【０００３】
【特許文献１】特開２００４−９２４５６号公報
【発明の概要】
【発明が解決しようとする課題】
【０００４】
しかしながら、従来のハイブリッド車両の制御装置にあっては、エンジンにターボチャージャー型の過給機を備えていて、この過給機は、エンジンからの排気を利用して過給するため、外気温や前後の運転状況等により実エンジントルクがばらつく。特に、低負荷領域のエンジン負荷が変化する過渡シーンでは、アクセルのオンオフ操作に伴う空気量や排気量の増減といったエンジントルクのばらつきに関係する因子が定常時と比較し増加するため、実エンジントルクのばらつきが大きくなる。このため、過渡シーンにおける実エンジントルクの推定精度は悪く、目標過給圧と実過給圧との差に基づいて目標トルクに対する実トルクの不足分を精度よく推定することは困難であり、トルクの不足分を適切にモータトルクで補償することができない。
【０００５】
よって、低負荷領域の過渡シーンにおいて、モータトルク補償量が足りないときにはアクセルを踏み増したり、モータトルク補償量が過大であるときにはアクセルの踏み込みを弱めたりして、ハンチングが生じることになり、運転者によるアクセル操作負担が増して運転性が悪化するばかりでなく、アクセル操作量の変動により燃費が悪化するという問題があった。
【０００６】
本発明は、上記問題に着目してなされたもので、低負荷領域の過渡シーンにおいて、運転者によるアクセル操作をスムーズとし、運転性と燃費の向上を達成することができるハイブリッド車両の制御装置を提供することを目的とする。
【課題を解決するための手段】
【０００７】
上記目的を達成するため、本発明のハイブリッド車両の制御装置では、走行用駆動源として、ターボチャージャー型の過給機を備えたエンジンと、モータと、を有し、要求駆動トルクをエンジントルクとモータトルクの総和により実現する駆動トルク制御を行う駆動トルク制御手段を備えている。
このハイブリッド車両の制御装置において、前記エンジンのエンジントルクを推定するエンジントルク推定手段を備え、前記駆動トルク制御手段は、要求駆動トルクと自然吸気時のエンジントルクとの差分をモータトルクで補償可能な低負荷領域のとき、前記過給機による過給を停止状態とし、要求駆動トルクと推定したエンジントルクとの差分をモータトルクで補償する。
【発明の効果】
【０００８】
よって、本発明のハイブリッド車両の制御装置にあっては、低負荷領域のとき、駆動トルク制御手段において、過給機による過給が停止状態とされる。
例えば、エンジンからの排気を利用するターボチャージャーにより過給が発生していない場合は、ターボラグ等の発生が無く、過渡シーンであってもエンジントルクを精度よく推定することができる。
よって、過給によるトルク分をモータトルクで補償可能な低負荷領域のときには、ターボチャージャーによる過給を行わないことにすることで、要求駆動トルクと自然吸気（ターボ停止）時の推定エンジントルクとの差から求まるトルクの不足分を、精度良くモータトルクで補償することができる。
この結果、低負荷領域の過渡シーンにおいて、運転者のアクセル操作がスムーズとなり、運転性と燃費の向上を達成することができる。
【図面の簡単な説明】
【０００９】
【図１】実施例１の制御装置が適用されたハイブリッド車両の駆動系と制御系を示す全体システム図である。
【図２】実施例１のハイブリッド車両に搭載された無過給領域・過給領域・燃料増量領域を持つエンジンの各領域についてのエンジン回転数に対するエンジントルクマップの一例を示す図である。
【図３】実施例１の統合コントローラにて実行される駆動トルク制御処理の流れを示すフローチャートである。
【図４】実施例１の駆動トルク制御作用でエンジンが低負荷領域のときのアクセル開度・目標車速・モータトルク・エンジントルク・ウエストゲートバルブの各動作特性を示すタイムチャートである。
【図５】実施例１の駆動トルク制御作用でエンジンが過負荷領域になったときのアクセル開度・目標車速・モータトルク・エンジントルク・ウエストゲートバルブの各動作特性を示すタイムチャートである。
【図６】実施例２の統合コントローラにて実行される駆動トルク制御処理の流れを示すフローチャートである。
【図７】実施例２の駆動トルク制御作用でエンジンが過負荷領域になったときのアクセル開度・目標車速・モータトルク・エンジントルク・ウエストゲートバルブの各動作特性を示すタイムチャートである。
【発明を実施するための形態】
【００１０】
以下、本発明のハイブリッド車両の制御装置を実現する最良の形態を、図面に示す実施例１及び実施例２に基づいて説明する。
【実施例１】
【００１１】
まず、構成を説明する。
図１は、実施例１の制御装置が適用されたハイブリッド車両の駆動系と制御系を示す全体システム図である。以下、図１に基づき、システム構成を説明する。
【００１２】
実施例１のハイブリッド車両の駆動系は、図１に示すように、エンジン１と、過給機２と、クラッチ３と、モータジェネレータ４（モータ）と、変速機５と、プロペラシャフト６と、デファレンシャル７と、左右ドライブシャフト8L,8Rと、左右駆動輪9L,9Rと、を備え、ＦＲ駆動系を構成している。
【００１３】
前記エンジン１は、走行用駆動源の一つであり、ターボチャージャー型の過給機２を備えている。このターボチャージャー付きエンジン１は、回転数の高まりにより排気ガス流量が多くなるにしたがってトルク勾配が立ち上がるような過給特性を発揮し、燃焼室に送り込まれる空気の密度を高めることで、燃料の燃焼効率を増大させ、エンジン排気量を超えた高出力を得ることができる。つまり、低燃費・小排気量エンジンを用いながらも高出力を得るのに適している。ただし、エンジン負荷が高い過負荷領域において、燃料噴射量を通常（例えば、理論空燃比）のまま維持すると、エンジン１の気筒内温度が上昇する。このため、燃料噴射量を通常より多くすることで、燃料の気化により燃焼室まわりを冷却している。この燃料噴射量を通常より多くする領域を、以下、「燃料増量域」という。
【００１４】
前記過給機２は、エンジン１からの排気を利用してタービン２ａを回転させ、その回転力でコンプレッサー２ｂを駆動させることで、圧縮した空気をエンジン１の燃焼室に送り込み、エンジン１の出力パワーを高める装置である。
この過給機２は、図１に示すように、エンジン１からの排気ガスを、タービン２ａを経過して外部に放出する排気経路１０と、エアークリーナー１１や図外のインタークーラー等を経過した外気を、コンプレッサー２ｂを経過してエンジン１の燃焼室に送り込む吸気経路１２と、を有する。そして、排気経路１０には、タービン２ａを迂回するバイパス経路１３が設けられ、このバイパス経路１３のエンジン側分岐点位置に、バルブクローズ時、排気ガスを排気経路１０に流し、バルブオープン時、排気ガスをバイパス経路１３に流すウエストゲートバルブ１４（W/Gバルブ）が設けられている。なお、吸気経路１２には、アクセル開度に応じて吸気量をコントロールするスロットルバルブ１５が設けられ、このスロットルバルブ１５は、スロットルバルブ開度がスロットルアクチュエータ１６により制御される。
【００１５】
前記クラッチ３は、エンジン１のクランク軸とモータジェネレータ４のモータ軸との間に設けられた走行モードの切り替え要素である。
つまり、クラッチ３を切り離すと、モータジェネレータ４のみを走行用駆動源とする走行モードである電気自動車モード（以下、「EVモード」という。）の選択状態になる。そして、クラッチ３を締結すると、エンジン１とモータジェネレータ４を走行用駆動源とする走行モードであるハイブリッド車モード（以下、「HEVモード」という。）の選択状態になる。「EVモード」は、例えば、バッテリ充電容量が十分であり、要求駆動トルクが低い走行域で選択される。「HEVモード」は、例えば、バッテリ充電容量が不足しているとき、あるいは、要求駆動トルクが高い走行域で選択される。
【００１６】
前記モータジェネレータ４は、クラッチ３の出力軸と変速機５の入力軸との間に設けられた発電/駆動要素である。
つまり、バッテリ放電によりコイルに給電されるときには、コイル給電による電気エネルギーをロータの回転エネルギーに変換し、モータ駆動トルクを出す駆動機能を発揮する。エンジン１や左右駆動輪9L,9Rからロータに対し回転駆動エネルギーが入力されるときには、回転駆動エネルギーを電気エネルギーに変換し、バッテリ充電を行う発電機能を発揮する。
【００１７】
前記変速機５は、モータジェネレータ４のロータ軸に接続され、入力されたモータ回転数を、ギヤ位置や変速比に応じて変速し、プロペラシャフト６への出力回転数とする。この変速機としては、複数のギヤ段を自動的に切り替える有段変速機や変速比を自動的に変更する無段変速機、等が用いられる。
この変速機５の出力軸からは、プロペラシャフト６、デファレンシャル７、左右ドライブシャフト8L,8Rを経過し、駆動トルクが左右駆動輪9L,9Rに伝達される。
【００１８】
実施例１のハイブリッド車両の制御系は、図１に示すように、エンジンコントローラ２１と、ブーストコントローラ２２と、クラッチコントローラ２３と、モータコントローラ２４と、変速機コントローラ２５と、統合コントローラ２６と、を備えている。なお、これらのコントローラ２１，２２，２３，２４，２５，２６は、ＣＡＮ等の双方向通信線２７によって情報交換可能に接続されている。
【００１９】
前記エンジンコントローラ２１は、統合コントローラ２６からのエンジン動作点（エンジン回転数Ne、エンジントルクTe）の指令に基づき、スロットルバルブ開閉制御や燃料噴射量制御や燃料気筒カット等によりエンジン１の出力を制御する。
【００２０】
前記ブーストコントローラ２２は、エンジンコントローラ２１や統合コントローラ２６からの過給圧指令に基づき、エンジン１において発生する過給圧(ブースト)を制御する。このブースト制御は、エンジン１への過給を停止状態とするウエストゲートバルブ１４のバルブ全開操作、エンジン１への過給を最大過給状態とするバルブ全閉操作、エンジン１への過給圧を制御状態とするバルブ開度可変操作、等により行われる。
【００２１】
前記クラッチコントローラ２３は、統合コントローラ２６において、車両の運転点（アクセル開度APO、車速VSP）やバッテリ充電容量情報に基づいて走行モードが選択されると、統合コントローラ２６からのモード遷移指令に応じて、クラッチ３の切り離し（EVモード）やクラッチ３の締結（HEVモード）を制御する。
【００２２】
前記モータコントローラ２４は、統合コントローラ２６からのモータ動作点（モータ回転数Nm、モータトルクTm）の指令に基づき、コイルに印加する三相交流波の周波数と振幅を制御することによりモータジェネレータ４の動作を制御する。このモータジェネレータ４をトルク制御する場合、駆動時には正のモータトルク指令を与え、発電時には負のモータトルク指令を与える。
【００２３】
前記変速機コントローラ２５は、車両の運転点（アクセル開度APO、車速VSP）により決められた変速指令、あるいは、統合コントローラ２６からの変速指令に基づいて、ギヤ段や変速比を変更する制御を行う。
【００２４】
前記統合コントローラ２６は、複数の入力情報に基づく演算処理により、駆動系に存在する各構成要素が駆動性能や燃費性能に対して適切に動作する動作指令を求め、この動作指令を各コントローラ２１，２２，２３，２４，２５に出力することで、駆動系を統合的に管理する。この統合コントローラ２６には、アクセル開度APOを検知するアクセル開度センサ２８、過給圧Pcを検知するブーストセンサ２９、車速VSPを検知する車速センサ３０、エンジン回転数Neを検知するクランク角センサ３１、モータ回転数Nmを検知するレゾルバ３２、スロットルバルブ開度TVOを検知するスロットル開度センサ３３、他のセンサ・スイッチ類３４からの情報が入力される。
【００２５】
図３は、実施例１の統合コントローラ２６にて実行される駆動トルク制御処理の流れを示すフローチャートである（駆動トルク制御手段）。以下、図３の各ステップについて説明する。なお、このフローチャートは、「EVモード」から「HEVモード」への移行により処理が開始され、「HEVモード」の選択中は処理が繰り返され、「HEVモード」から「EVモード」への移行により処理が終了する。
【００２６】
ステップS101では、「HEVモード」の選択開始からの走行時間が設定時間以下であるという時間条件と、アクセル開度APOが低負荷設定開度以下であるというアクセル開度条件が共に成立しているとき（＝低負荷領域）であるか否かを判断し、YES（低負荷領域条件成立）の場合はステップS102へ進み、NO（低負荷領域条件不成立）の場合はステップS107へ進む。
ここで、「アクセル開度条件」は、要求駆動トルクと自然吸気時のエンジントルクとの差分をモータトルクで補償可能なアクセル開度領域であることを判断する条件である。
【００２７】
ステップS102では、ステップS101での低負荷領域条件成立であるとの判断に続き、初期設定としてウエストゲートバルブ１４をオープンとし、ステップS103へ進む。
【００２８】
ステップS103では、ステップS102でのウエストゲートバルブ１４のオープン操作に続き、過給機２による過給を停止状態とし、エンジン１を自然吸気エンジンと同等に使用しながら、エンジン１とモータジェネレータ４で車両を駆動する「HEVモード」の選択によるHEV走行を行い、ステップS104へ進む。
【００２９】
ステップS104では、ステップS103での自然吸気エンジンによるHEV走行に続き、エンジントルクを、図２に示す無過給領域のエンジントルクマップにより推定し、ステップS105へ進む（エンジントルク推定手段）。
すなわち、エンジントルクは、そのときのエンジン回転数Neと、図２の無過給領域特性により推定される。
【００３０】
ステップS105では、ステップS104でのエンジントルクの推定に続き、要求駆動トルクと推定したエンジントルクとの差分により不足トルクを算出し、ステップS106へ進む。
ここで、「要求駆動トルク」とは、そのときのアクセル開度APOと車速VSPにより決められるトルクである。そして、推定エンジントルクは、自然吸気エンジンを使用したときの推定トルクであるため、「不足トルク」は、過給エンジンを用いる場合に比べ、過給により上昇するエンジントルク分だけ増加した値となる。
【００３１】
ステップS106では、ステップS105での不足トルクの算出に続き、不足トルクをモータアシスト量とし、モータジェネレータ４でトルク補償し、リターンへ進む。
【００３２】
ステップS107では、ステップS101での低負荷領域条件不成立であるとの判断に続き、過給機２による過給状態でエンジン１への燃料増量が必要となる過負荷領域であるか否かを判断し、YES（過負荷領域到達）の場合はステップS116へ進み、NO（過負荷領域未達）の場合はステップS108へ進む。
ここで、エンジントルクが過負荷領域に突入したか否かは、図２に示すエンジントルクマップを用い、エンジントルクが過給領域を超えて燃料増量領域に入ったか否かにより検知する。
【００３３】
ステップS108では、ステップS107での過負荷領域未達であるとの判断に続き、ウエストゲートバルブ１４をクローズとし、ステップS109へ進む。
【００３４】
ステップS109では、ステップS108でのウエストゲートバルブ１４のクローズ操作に続き、過給機２による過給を開始し、または、過給状態を維持し、ステップS110へ進む。
すなわち、過給停止状態でのHEV走行開始から設定時間を超過したとき、または、アクセル開度APOが低負荷設定開度を超え、要求駆動トルクと自然吸気時のエンジントルクとの差分をモータトルクで補償できなくなったとき（ステップS101で低負荷領域条件不成立となったとき）、過給機２による過給を開始する。
【００３５】
ステップS110では、ステップS109でのエンジン過給開始またはエンジン過給維持に続き、燃料増量域でのエンジン駆動を許可するフラグＡが、フラグＡ＝１であるか否かを判断し、YES（フラグＡ＝１）の場合はステップS111へ進み、NO（フラグＡ＝０）の場合はステップS112へ進む。
【００３６】
ステップS111では、ステップS110でのフラグＡ＝１であるとの判断に続き、フラグＡ＝１を、フラグＡ＝０（燃料増量域でのエンジン駆動不許可）に書き換え、ステップS112へ進む。
【００３７】
ステップS112では、ステップS110でのフラグＡ＝０との判断、あるいは、ステップS111でのフラグＡ＝０への書き換え、ステップS121での燃料増量域でのエンジン駆動に続き、目標車速と実車速の差はないか否かを判断し、YES（車速差無し）の場合はステップS113へ進み、NO（車速差有り）の場合はステップS114へ進む。
ここで、目標車速は、アクセル開度APOや走行抵抗や変速比等により決められる。実車速は、車速センサ３０からの車速VSPを用いる。
【００３８】
ステップS113では、ステップS112での車速差無しとの判断に続き、エンジン回転数Neと図２のエンジントルクマップ（過給領域特性）に基づいて過給時のエンジントルクを推定し、要求駆動トルクと過給時の推定エンジントルクとの差分トルクを算出し、算出した差分トルクをモータジェネレータ４で補償する通常のHEV走行制御を行い、リターンへ進む。
【００３９】
ステップS114では、ステップS112での車速差有りとの判断に続き、エンジン回転数Neと図２のエンジントルクマップ（過給領域特性）に基づいて過給時のエンジントルクを推定し、要求駆動トルクと過給時の推定エンジントルクとの差分によるモータトルクを、目標車速と実車速の車速差に基づいて得られる過不足トルクによりフィードバック補正してモータトルクを算出し、ステップS115へ進む。
このフィードバック補正量は、車速差を偏差とし、これにゲイン（比例ゲインや微分ゲインや積分ゲイン、等）を掛け合わせることで求められる。
【００４０】
ステップS115では、ステップS114でのするモータトルクの算出に続き、超過トルク、もしくは、不足トルクをモータジェネレータ４で補償するモータ出力制御を行い、リターンへ進む。
【００４１】
ステップS116では、ステップS107での過負荷領域到達であるとの判断に続き、燃料増量域でのエンジン駆動を許可するフラグＡが、フラグＡ＝１であるか否かを判断し、YES（フラグＡ＝１）の場合はステップS121へ進み、NO（フラグＡ＝０）の場合はステップS117へ進む。
【００４２】
ステップS117では、ステップS116でのフラグＡ＝０であるとの判断、あるいは、ステップS118での時間条件とアクセル開度条件が共に不成立であるとの判断に続き、モータトルクをアップし、エンジン１は増量域に入らない領域までしか出力せず、ステップS118へ進む。
すなわち、過給機２による過給状態でエンジン１への燃料増量が必要となる過負荷領域のとき、燃料増量によるエンジントルク上昇分をモータトルクの上昇により補償するモータ出力制御と、燃料増量域に入らないようにエンジントルクを維持するエンジン出力制御と、による協調制御を行う。
【００４３】
ステップS118では、ステップS117でのモータ出力制御とエンジン出力制御の協調制御に続き、協調制御を開始してからのHEV走行時間が規定時間を超えている、あるいは、アクセル開度APOが過負荷設定値（例えば、全開域の値）を超えているか否かを判断し、YES（時間条件とアクセル開度条件の少なくとも一方が成立）の場合はステップS119へ進み、NO（時間条件とアクセル開度条件が共に不成立）の場合はステップS117へ戻る。
なお、規定時間は、エンジンの排気バルブや触媒劣化が許容できる時間に設定される。
【００４４】
ステップS119では、ステップS118での時間条件とアクセル開度条件の少なくとも一方が成立との判断に続き、フラグＡ＝０を、フラグＡ＝１（燃料増量域でのエンジン駆動の許可）に書き換え、ステップS120へ進む。
【００４５】
ステップS120では、ステップS119でのフラグＡ＝１への書き換えに続き、必要に応じ（アクセル開度条件が成立することで燃料増量域でのエンジン駆動の許可される場合）エンジントルクを上昇させ、ステップS121へ進む。
【００４６】
ステップS121では、ステップS120でのエンジントルクの上昇、あるいは、ステップS116でのフラグＡ＝１であるとの判断に続き、エンジン１を燃料増量域で駆動し、ステップS112へ進む。
【００４７】
次に、作用を説明する。
実施例１のハイブリッド車両の制御装置における作用を、「低負荷領域のレスポンス向上作用」、「高負荷領域での駆動トルク制御作用」、「過負荷領域の燃料増量回避作用」に分けて説明する。
【００４８】
［低負荷領域のレスポンス向上作用］
「HEVモード」の選択開始からの走行時間が設定時間以下であるという時間条件と、アクセル開度APOが低負荷設定開度以下であるというアクセル開度条件が共に成立しているとき、図３のフローチャートにおいて、ステップS101→ステップS102→ステップS103→ステップS104→ステップS105→ステップS106→リターンへと進む流れが繰り返される。
【００４９】
したがって、「HEVモード」の選択が開始され、走行時間が設定時間以下のときには、要求駆動トルクと自然吸気時のエンジントルクとの差分をモータトルクで補償可能なアクセル開度領域である限り、ステップS102では、初期設定としてウエストゲートバルブ１４がオープンとされ、ステップS103では、過給機２による過給を停止状態とし、エンジン１を自然吸気エンジンと同等に使用しながら、エンジン１とモータジェネレータ４で車両を駆動する「HEVモード」の選択によるHEV走行が行われる。
【００５０】
そして、ステップS104では、エンジントルクが、図２に示す無過給領域のエンジントルクマップにより推定され、ステップS105では、要求駆動トルクと推定したエンジントルクとの差分により不足トルクが算出され、ステップS106では、不足トルクをモータアシスト量とし、モータジェネレータ４でトルク補償される。
【００５１】
次に、図４に示すタイムチャートにより、エンジン１が低負荷領域にある時の駆動トルク制御について説明する。
例えば、発進時、運転者がアクセルペダルの踏み込み操作を行うことでアクセル開度APOが増加した場合、要求駆動トルクに応じて、エンジン１とモータジェネレータ４のそれぞれがトルクを出力する。
【００５２】
しかし、過給機付きエンジン１の場合、要求された通りにエンジントルクとモータトルクを出力すると、過給時にターボラグが発生し、下記に述べるように、運転性や燃費に悪影響を与えてしまう。
つまり、アクセル踏み込み発進時の過渡シーンでは、図４のエンジントルクの点線特性に示すように、アクセル踏み込み開始時刻t0から少し遅れた時刻t1からエンジントルクが上昇を開始し、ターボラグに伴い緩やかな勾配から徐々に急な勾配に移行するようなエンジントルクの立ち上がり特性となる。このため、アクセル踏み込み発進時の過渡シーンにおけるエンジントルクの推定精度は悪くなり、要求駆動トルクと推定エンジントルクの差分に基づいてトルク不足分を精度よく推定することは困難であり、トルク不足分を適切にモータトルクで補償することができない。
【００５３】
したがって、アクセル操作量を一定に保った後、ターボラグにより実駆動トルク（エンジントルク＋モータトルク）が足りないと感じる時刻t2では、運転者によりアクセルを踏み増しする操作がなされる。その後、車速が上昇することにより駆動トルクが過大であると感じる時刻t3では、運転者によりアクセルの踏み込みを弱める操作がなされる。
【００５４】
このため、図４のアクセル開度の点線特性に示すように、アクセル開度（＝アクセル操作量）にハンチングが生じることになり、運転者によるアクセル操作負担が増して運転性が悪化するばかりでなく、アクセル操作量の変動により燃費が悪化する。加えて、図４の目標車速の点線特性に示すように、目標車速が時刻t4まで上昇した後、時刻t4から下降するという変動がみられる。
【００５５】
これに対し、実施例１では、通常の車両において過給機２内の圧力が高い時でしかオープンにならないウエストゲートバルブ１４を、初期設定オープンの状態で使用するようにした（図４のW/GバルブのOFF特性）。こうすることにより、通常は過給してしまう過渡シーンでも、エンジン１は過給状態にならず、ターボラグも発生しない。そのため、エンジン１のトルク推定が容易となり、必要なモータアシスト量の算出も可能になり、不足トルクを違和感無くモータトルクで補うことが可能である。
【００５６】
つまり、アクセル踏み込み発進時の過渡シーンでは、自然吸気状態のエンジン１であるため、図４のエンジントルクの実線特性に示すように、アクセル踏み込み開始時刻t0から少し遅れた時刻t1からエンジントルクが上昇を開始し、その後、一定のエンジントルクを保つというように、ターボラグ特性に比べてレスポンスの良いステップ特性となる。このため、アクセル踏み込み発進時の過渡シーンにおけるエンジントルクの高い推定精度が確保され、要求駆動トルクと推定エンジントルクの差分に基づいてトルク不足分が精度よく推定され、図４のモータトルクの実線特性に示すように、トルク不足分が適切にモータトルクで補償されることになる。
【００５７】
このため、図４のアクセル開度の実線特性に示すように、アクセル踏み込み後、アクセル操作量を一定に保ったままとすることができ、運転者によるアクセル操作負担増が解消され、良好な運転性を確保することができるばかりでなく、アクセル操作量を一定に保つことにより燃費の悪化も防止することができる。加えて、図４の目標車速の実線特性に示すように、目標車速が直線特性により上昇し、スムーズな発進性が確保される。
【００５８】
［高負荷領域での駆動トルク制御作用］
過給停止状態でのHEV走行開始から設定時間を超過したとき、または、アクセル開度APOが低負荷設定開度を超えたときには、ステップS101での低負荷領域条件が不成立と判断され、図３のフローチャートにおいて、ステップS101→ステップS107→ステップS108→ステップS109→ステップS110→ステップS112へと進む。つまり、ステップS108では、ウエストゲートバルブ１４がクローズとされ、次のステップS109では、過給機２による過給が開始される。
【００５９】
そして、ステップS112において、車速差が無いと判断されると、ステップS113→リターンへと進む流れが繰り返される。つまり、ステップS113では、エンジン回転数Neと図２のエンジントルクマップ（過給領域特性）に基づいて過給時のエンジントルクが推定され、要求駆動トルクと過給時の推定エンジントルクとの差分トルクが算出され、算出した差分トルクをモータジェネレータ４で補償する通常のHEV走行制御が行われる。
【００６０】
また、ステップS112において、車速差が有ると判断されると、ステップS114→ステップS115→リターンへと進む流れが繰り返される。つまり、ステップS114では、エンジン回転数Neと図２のエンジントルクマップ（過給領域特性）に基づいて過給時のエンジントルクが推定され、要求駆動トルクと過給時の推定エンジントルクとの差分によるモータトルクを、目標車速と実車速の車速差に基づいて得られる過不足トルクによりフィードバック補正してモータトルクが算出される。次のステップS115では、超過トルク、もしくは、不足トルクをモータジェネレータ４で補償するモータ出力制御が行われる。
【００６１】
次に、図４に示すタイムチャートにより、エンジン１が低負荷領域判断から脱したときの駆動トルク制御作用について説明する。
例えば、過給停止状態でのHEV発進開始から設定時間を超過しても、そのまま過給停止状態を維持すると、長時間に亘ってエンジン過給分までモータトルクで補償する必要であるため、モータジェネレータ４が過負荷となり、バッテリ残量の低下を早めることで、車両全体としてのエネルギー収支の悪化を招く。また、アクセル開度APOが低負荷設定開度を超えても過給停止状態を維持すると、要求駆動トルクと自然吸気時のエンジントルクとの差分をモータトルクで補償できなくなり、駆動トルク不足のままでの走行となる。
【００６２】
これに対し、実施例１では、過給停止状態でのHEV発進開始から設定時間を超過し、時刻t5に達すると、図４のW/Gバルブの動作特性に示すように、ウエストゲートバルブ１４がオープンからクローズに切り替えられ（W/GバルブのOFF→ON特性）、過給機２による過給が開始される。
【００６３】
このため、過給機２による過給が開始された時刻t5以降は、図４のエンジントルクの実線特性に示すように、エンジントルクがターボラグを持つ過給特性にしたがって徐々に立ち上がり、図４のエンジントルクの点線特性に示すように、発進開始時から過給を行っている場合のようなエンジントルクのオーバーシュートを防止できる。また、過給機２による過給が開始された時刻t5以降は、図４のモータトルクの実線特性に示すように、モータトルクが下降し、モータジェネレータ４への負荷が軽減される。さらに、過給機２による過給が開始された時刻t5以降は、図４のアクセル開度と目標車速の実線特性に示すように、アクセル開度の変動や目標車速の変動が抑えられたものとなる。
【００６４】
そして、過給機２による過給が開始された後、要求駆動トルクと推定エンジントルクの差分よるトルクを、モータジェネレータ４によるモータトルク補償量とすると、エンジントルクの推定精度が、過給停止状態に比べて低下しているため、出力される駆動トルクに過不足が生じてしまう。
【００６５】
これに対し、実施例１では、エンジン１を過給領域で使用する際、エンジントルクの推定を、図２に示すエンジントルクマップのみからだけでなく、設定している目標車速と実車速の車速差を検知し、車速差を打ち消すフィードバックトルク補正制御を行なうようにしている。
【００６６】
このように、過給機２による過給が開始されると、車輪速差に基づくトルク補正制御を加えることで、過給状態でのエンジントルクの推定精度が高まり、より的確なモータアシストを行なうことが可能になる。これにより、ターボラグの無い滑らかな駆動トルクの出力カーブを描くことができる。
【００６７】
［過負荷領域の燃料増量回避作用］
過給状態でのHEV走行中、アクセル踏み込み操作により、エンジン１への燃料増量が必要となる過負荷領域であると判断されると、図３のフローチャートにおいて、ステップS101→ステップS107→ステップS116→ステップS117→ステップS118へと進み、ステップS118での燃料増量許可条件が成立しない限り、ステップS117→ステップS118へと進む流れが繰り返される。ステップS117では、モータトルクがアップされ、エンジン１は増量域に入らない領域までしか出力しない。すなわち、過給機２による過給状態でエンジン１への燃料増量が必要となる過負荷領域であると判断されたとき、燃料増量によるエンジントルク上昇分をモータトルクの上昇により補償するモータ出力制御と、燃料増量域に入らないようにエンジントルクを維持するエンジン出力制御と、による協調制御が行われる。
【００６８】
そして、ステップS118での燃料増量許可条件が成立すると、ステップS118から、ステップS119→ステップS120→ステップS121→ステップS112→ステップS113（または、ステップS114→ステップS115）→リターンへと進み、ステップS119では、フラグＡ＝１に書き換えられ、ステップS120では、必要に応じてエンジントルクがアップされ、ステップS121では、燃料増量域でのエンジン駆動が開始される。
【００６９】
次の処理からは、ステップS119でフラグＡが、フラグＡ＝１に書き換えられているので、図３のフローチャートにおいて、ステップS101→ステップS107→ステップS116→ステップS121→ステップS112→ステップS113（または、ステップS114→ステップS115）→リターンへと進む流れが繰り返され、燃料増量域でのエンジン駆動が継続される。しかし、アクセル戻し操作が行われ、ステップS107での過負荷領域に達していないと判断されると、ステップS107から、ステップS108→ステップS109→ステップS110→ステップS111へと進み、ステップS111では、フラグＡ＝１がフラグＡ＝０に書き換えられる。したがって、次に、アクセル踏み込み操作により、エンジン１への燃料増量が必要となる過負荷領域であると判断されると、図３のフローチャートにおいて、ステップS101→ステップS107→ステップS116→ステップS117→ステップS118へと進む流れに復帰する。
【００７０】
次に、図５に示すタイムチャートにより、エンジン１が過負荷領域にある時の駆動トルク制御について説明する。
例えば、エンジン１が燃料増量域に入る手前で駆動されている時に運転者がアクセルを踏み増ししたことで、エンジントルクが上がり、燃料増量域に突入すると、通常、燃料増量域でエンジン１を駆動することになり、燃費の悪化につながることになる。
【００７１】
これに対し、実施例１では、過給機２による過給状態でエンジン１への燃料増量が必要となる過負荷領域であると判断されたとき、燃料増量によるエンジントルク上昇分をモータトルクの上昇により補償するモータ出力制御と、燃料増量域に入らないようにエンジントルクを維持するエンジン出力制御と、による協調制御を行うようにした。
【００７２】
つまり、エンジン１が燃料増量域に入る手前の時刻t6で運転者がアクセルを踏み増し操作を開始し、時刻t7でアクセル全開域に達すると、エンジントルクが上昇し、時刻t8にて燃料増量域に突入する。この時刻t8からは、図５のモータトルクの実線特性に示すように、燃料増量域でエンジン１を運転した場合のエンジントルク上昇分を、モータトルクの上昇により補償するモータ出力制御が行われる。同時タイミングで時刻t8からは、図５のエンジントルクの実線特性に示すように、エンジン１は燃料増量域に入るような過負荷状態でありながら、強制的に燃料増量域以下のエンジントルクを維持するようにエンジン出力制御が行われる。
【００７３】
この際、エンジントルクの推定を、図２に示すエンジントルクマップからだけでなく、設定している目標車速と実車速の車速差を検知し、過不足トルク分を補正するフィードバック制御を行なうことで、エンジントルクの推定精度が向上し、適切なモータアシストを可能とする。
【００７４】
結果的に、モータジェネレータ４でのアシストトルクを、燃料増量によるエンジントルク上昇分だけ追加する時間分（時刻t8から時刻t9）の燃料増量を抑えることができ、燃費の向上につながる。なお、時刻t8から規定時間を加えた時刻t9を経過すると、燃料増量域でのエンジン駆動を開始するため、エンジン過負荷状態でのエンジン１の気筒内温度の上昇を許容時間までとし、その後、エンジン１の気筒内温度を下げることができる。
【００７５】
次に、効果を説明する。
実施例１のハイブリッド車両の制御装置にあっては、下記に列挙する効果を得ることができる。
【００７６】
(1) 走行用駆動源として、ターボチャージャー型の過給機２を備えたエンジン１と、モータ（モータジェネレータ４）と、を有し、要求駆動トルクをエンジントルクとモータトルクの総和により実現する駆動トルク制御を行う駆動トルク制御手段を備えたハイブリッド車両の制御装置において、前記エンジン１のエンジントルクを推定するエンジントルク推定手段（ステップS104）を備え、前記駆動トルク制御手段（図３）は、要求駆動トルクと自然吸気時のエンジントルクとの差分をモータトルクで補償可能な低負荷領域のとき（ステップS101でYES）、前記過給機２による過給を停止状態とし（ステップS102、ステップS103）、要求駆動トルクと推定したエンジントルクとの差分をモータトルクで補償する（ステップS106）。
このため、低負荷領域の過渡シーンにおいて、運転者によるアクセル操作をスムーズとし、運転性と燃費の向上を達成することができる。
【００７７】
(2) 前記駆動トルク制御手段（図３）は、過給停止状態で設定時間を超過したとき、または、要求駆動トルクと自然吸気時のエンジントルクとの差分をモータトルクで補償できなくなったとき（ステップS101でNO）、前記過給機２による過給を開始する（ステップS108、ステップS109）。
このため、過給停止状態の長時間継続によりモータジェネレータ４が過負荷となるのを防止できると共に、要求駆動トルクの上昇に対し駆動トルク不足のない走行を確保することができる。
【００７８】
(3) 前記駆動トルク制御手段（図３）は、前記過給機２による過給を開始した後、エンジン回転数Neとエンジントルクマップ（図２）に基づいて過給時のエンジントルクを推定し、要求駆動トルクと過給時の推定エンジントルクとの差分によるモータトルクを、目標車速と実車速の車速差に基づいて得られる過不足トルクによりフィードバック補正するモータ出力制御を行う（ステップS112〜ステップS115）。
このため、過給機２による過給が開始されると、車輪速差に基づくトルク補正制御を加えることで、過給状態でのエンジントルクの推定精度の高まりにより、より的確なモータアシストを行なうことができる。
【００７９】
(4) 前記駆動トルク制御手段（図３）は、前記過給機２による過給状態で前記エンジン１への燃料増量が必要となる過負荷領域のとき（ステップS107でYES）、燃料増量によるエンジントルク上昇分をモータトルクの上昇により補償するモータ出力制御と、燃料増量域に入らないようにエンジントルクを維持するエンジン出力制御と、による協調制御を行う（ステップS117）。
このため、過負荷領域に入ったとき、モータ出力制御とエンジン出力制御の協調制御により、運転者が要求する要求駆動トルクを確保しながら、エンジン１への燃料増量を回避することにより、燃費の向上を達成することができる。
【実施例２】
【００８０】
実施例２は、過負荷領域に入ったときの燃料増量回避処理手法を、実施例１の手法とは異ならせた例である。
【００８１】
まず、構成を説明する。
実施例２の全体システム構成等は、実施例１の図１及び図２と同様であるので、図示並びに説明を省略する。
【００８２】
図６は、実施例２の統合コントローラ２６にて実行される駆動トルク制御処理の流れを示すフローチャートである（駆動トルク制御手段）。以下、図６の各ステップについて説明する。なお、図６のステップS201〜ステップS216の各ステップは、図３に示すフローチャートのステップS101〜ステップS116の各ステップと同じ処理ステップであるため、説明を省略する。
【００８３】
ステップS217では、ステップS216でのフラグＡ＝０であるとの判断、あるいは、ステップS219での時間条件とアクセル開度条件が共に不成立であるとの判断に続き、ウエストゲートバルブ１４をオープンにし、ステップS218へ進む。
【００８４】
ステップS218では、ステップS217でのウエストゲートバルブ１４のオープンに続き、モータトルクをアップし、ステップS219へ進む。
すなわち、過給機２による過給状態でエンジン１への燃料増量が必要となる過負荷領域のとき、過給機２を停止状態にする過給機制御と、過給状態から停止状態への移行に伴うエンジントルク低下分をモータトルクの上昇により補償するモータ出力制御と、による協調制御を行う。
【００８５】
ステップS219では、ステップS218でのモータ出力制御に続き、協調制御を開始してからのHEV走行時間が規定時間を超えている、あるいは、アクセル開度APOが過負荷設定値（例えば、全開域の値）を超えているか否かを判断し、YES（時間条件とアクセル開度条件の少なくとも一方が成立）の場合はステップS220へ進み、NO（時間条件とアクセル開度条件が共に不成立）の場合はステップS217へ戻る。
【００８６】
ステップS220では、ステップS219での時間条件とアクセル開度条件の少なくとも一方が成立との判断に続き、フラグＡ＝０を、フラグＡ＝１（燃料増量域でのエンジン駆動の許可）に書き換え、ステップS121へ進む。
【００８７】
ステップS221では、ステップS220でのフラグＡ＝１への書き換えに続き、ウエストゲートバルブ１４をクローズとし、ステップS222へ進む。
【００８８】
ステップS222では、ステップS221でのW/Gバルブクローズ、あるいは、ステップS216でのフラグＡ＝１であるとの判断に続き、エンジン１を燃料増量域で駆動し、ステップS212へ進む。
【００８９】
次に、作用を説明する。
【００９０】
［過負荷領域の燃料増量回避作用］
過給状態でのHEV走行中、アクセル踏み込み操作により、エンジン１への燃料増量が必要となる過負荷領域であると判断されると、図６のフローチャートにおいて、ステップS201→ステップS207→ステップS216→ステップS217→ステップS218→ステップS219へと進み、ステップS119での燃料増量許可条件が成立しない限り、ステップS217→ステップS218→ステップS219へと進む流れが繰り返される。ステップS217では、ウエストゲートバルブ１４がオープンにされ、ステップS218では、モータトルクがアップされる。すなわち、過給機２による過給状態でエンジン１への燃料増量が必要となる過負荷領域であると判断されたとき、過給機２を停止状態にする過給機制御と、過給状態から停止状態への移行に伴うエンジントルク低下分をモータトルクの上昇により補償するモータ出力制御と、による協調制御が行われる。
【００９１】
そして、ステップS219での燃料増量許可条件が成立すると、ステップS219から、ステップS220→ステップS221→ステップS222→ステップS212→ステップS213（または、ステップS214→ステップS215）→リターンへと進み、ステップS220では、フラグＡ＝１に書き換えられ、ステップS221では、オープンにされていたウエストゲートバルブ１４がクローズされ、ステップS222では、燃料増量域でのエンジン駆動が開始される。
【００９２】
次の処理からは、ステップS220でフラグＡが、フラグＡ＝１に書き換えられているので、図６のフローチャートにおいて、ステップS201→ステップS207→ステップS216→ステップS222→ステップS212→ステップS213（または、ステップS214→ステップS215）→リターンへと進む流れが繰り返され、燃料増量域でのエンジン駆動が継続される。しかし、アクセル戻し操作が行われ、ステップS207での過負荷領域に達していないと判断されると、ステップS207から、ステップS208→ステップS209→ステップS210→ステップS211へと進み、ステップS211では、フラグＡ＝１がフラグＡ＝０に書き換えられる。したがって、次に、アクセル踏み込み操作により、エンジン１への燃料増量が必要となる過負荷領域であると判断されると、図６のフローチャートにおいて、ステップS201→ステップS207→ステップS216→ステップS217→ステップS218→ステップS219へと進む流れに復帰する。
【００９３】
次に、図７に示すタイムチャートにより、エンジン１が過負荷領域にある時の駆動トルク制御について説明する。
実施例２では、過給機２による過給状態でエンジン１への燃料増量が必要となる過負荷領域であると判断されたとき、過給機２を停止状態にする過給機制御と、過給状態から停止状態への移行に伴うエンジントルク低下分をモータトルクの上昇により補償するモータ出力制御と、による協調制御を行うようにした。
【００９４】
つまり、エンジン１が燃料増量域に入る手前の時刻t6で運転者がアクセルを踏み増し操作を開始し、時刻t7でアクセル全開域に達すると、エンジントルクが上昇し、時刻t8にて燃料増量域に突入する。この時刻t8からは、図７のW/Gバルブの動作特性に示すように、ウエストゲートバルブ１４が開かれ、過給機２が停止状態とされる。このため、エンジントルクの実線特性に示すように、ターボラグにより時刻t8の直後にて僅かに燃料増量域に入ったとしても、その後、過給を停止したことでエンジントルクが低下し、エンジントルクは燃料増量域以下となるように維持される。そして、同時タイミングでモータジェネレータ４側では、図７のモータトルクの実線特性に示すように、時刻t8から過給停止によるエンジントルク低下分をモータトルク上昇により補償するモータ出力制御が行われる。
【００９５】
この際、エンジントルクの推定を、図２に示すエンジントルクマップからだけでなく、設定している目標車速と実車速の車速差を検知し、過不足トルク分を補正するフィードバック制御を行なうことで、エンジントルクの推定精度が向上し、適切なモータアシストを可能とする。
【００９６】
結果的に、モータジェネレータ４でのアシストトルクを、燃料増量によるエンジントルク上昇分だけ追加する時間分（時刻t8から時刻t9）の燃料増量を抑えることができ、燃費の向上につながる。なお、時刻t9を経過すると、燃料増量域でのエンジン駆動を開始するが、これは、エンジン過負荷状態でのエンジン１の気筒内温度を下げるために必要であることによる。
なお、他の作用は、実施例１と同様であるので、説明を省略する。
【００９７】
次に、効果を説明する。
実施例２のハイブリッド車両の制御装置にあっては、実施例１の(1)〜(3)の効果に加え、下記の効果を得ることができる。
【００９８】
(5) 前記駆動トルク制御手段（図６）は、前記過給機２による過給状態で前記エンジン１への燃料増量が必要となる過負荷領域のとき（ステップS207でYES）、前記過給機２を停止状態にする過給機制御（ステップS217）と、過給状態から停止状態への移行に伴うエンジントルク低下分をモータトルクの上昇により補償するモータ出力制御（ステップS218）と、による協調制御を行う。
このため、過負荷領域に入ったとき、過給機制御とモータ出力制御の協調制御により、運転者が要求する要求駆動トルクを確保しながら、エンジン１への燃料増量を回避することにより、燃費の向上を達成することができる。
【００９９】
以上、本発明のハイブリッド車両の制御装置を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【０１００】
本発明は、低負荷領域のときはターボチャージャーによる過給を停止状態とし、要求トルクに対する実エンジントルクの不足分をモータトルクで補償するものである。つまり、低負荷側でターボチャージャーによる過給を停止するものであるため、一見すると通常のターボチャージャー付きエンジン車（＝ターボ車）と同じようにみえるが、次の点で通常のターボ車とは異なる。
・ターボチャージャーを停止状態とする条件を、要求駆動トルクと自然吸気（ターボ停止）時のエンジントルクとの差分をモータトルクで補償できるとき、とする点。
・要求駆動トルクと推定エンジントルクとの差をモータトルクで補償する点。
なお、スーパーチャージャーでは、エンジントルクの推定精度についての課題が出ないので、過給機２は、ターボチャージャー型に限定される。
【０１０１】
実施例１，２では、ターボチャージャー型の過給機２による過給を停止する手段としてウエストゲートバルブ１４を開く手段の例を示した。しかし、アクチュエータ等を用いて過給機能を停止することができるものであれば、ウエストゲートバルブ１４を開く手段に限定されるものではない。
【０１０２】
実施例１，２では、エンジンとモータジェネレータを、クラッチを介して直列に配置した駆動系を持つＦＲのハイブリッド車両への適用例を示した。しかし、ＦＦのハイブリッド車両へ適用できるのは勿論のこと、エンジンとモータジェネレータを直結した駆動系を持つモータアシスト式のＦＦやＦＲのハイブリッド車両、あるいは、エンジンとモータとジェネレータを、差動機構を介して連結した駆動系を持つパラレル式のＦＦやＦＲのハイブリッド車両に対しても適用することができる。要するに、ターボチャージャー型の過給機を備えたエンジンを有し、エンジントルクとモータトルクの総和により駆動トルクを実現するようにしたハイブリッド車両の制御装置であれば適用できる。
【符号の説明】
【０１０３】
１  エンジン
２  過給機
２ａ  タービン
２ｂ  コンプレッサー
３  クラッチ
４  モータジェネレータ（モータ）
５  変速機
６  プロペラシャフト
７  デファレンシャル
8L,8R  左右ドライブシャフト
9L,9R  左右駆動輪
１０  排気経路
１１  エアークリーナー
１２  吸気経路
１３  バイパス経路
１４  ウエストゲートバルブ
２１  エンジンコントローラ
２２  ブーストコントローラ
２３  クラッチコントローラ
２４  モータコントローラ
２５  変速機コントローラ
２６  統合コントローラ
２７  双方向通信線
２８  アクセル開度センサ
２９  ブーストセンサ
３０  車速センサ
３１  クランク角センサ
３２  レゾルバ
３３  スロットル開度センサ
３４  他のセンサ・スイッチ類
【図１】
2011051383.tif 000003
【図２】
2011051383.tif 000004
【図３】
2011051383.tif 000005
【図４】
2011051383.tif 000006
【図５】
2011051383.tif 000007
【図６】
2011051383.tif 000008
【図７】
2011051383.tif 000009